(57)【要約】【課題】従来の羽根なしタイプでは、使用者の動きに十分に追随することができず、漏れが生じるという問題があったが、羽根ありタイプに比して装着や着脱が楽で使いやすく、羽根によるかぶれやこすれがなくて使用感が良いため、羽根なしタイプの特性を有し且つ漏れの発生を防止できる製品の開発が要望されている。【解決手段】液体透過性のトップシート７と、液体不透過性のバックシート３と、それらの間に位置する吸収体５とからなる吸収性物品のトップシート７上に、疎水性の弾性部材１１を載せ、更に、疎密領域を有する被覆シート２１で覆い、更に被覆シート２１をトップシート７に固定した。密領域２１ｃによって径血が誘導されて、吸収体５に到達する。従って、羽根なしナプキンとしてもズレ・ヨレによる影響を受けることなく排出された径血を吸収体に速やかに導き吸収させることができ、漏れを防止することができる。【選択図】      図２
2004290590.tif 000002
【特許請求の範囲】
【請求項１】
液体透過性のトップシートと、液体不透過性のバックシートと、該トップシート及び該バックシート間に位置する吸収体とからなる吸収性物品において、
上記トップシート上に設けられた、排泄された体液を上記吸収体に導くための体液誘導手段、及び該体液誘導手段を使用者の動きに追随して使用者の体液排泄部に密着させる追随・密着手段を有することを特徴とする吸収性物品。
【請求項２】
追随・密着手段は、トップシートに固定された疎水性の弾性部材からなり、体液誘導手段は、上記弾性部材を覆い、上記トップシートに固定されて配された、疎密領域を有する被覆シートの密領域からなることを特徴とする請求項１記載の吸収性物品。
【請求項３】
追随・密着手段は、トップシートに固定された疎水性の弾性部材からなり、体液誘導手段は、上記弾性部材を覆い、上記トップシートに固定されて配された、疎水性部と親水性部とからなる所定のパターンの被覆シートの親水性部からなることを特徴とする請求項１記載の吸収性物品。
【請求項４】
追随・密着手段は、親水性部分と疎水性部分とを有する弾性部材からなり、体液誘導手段は、上記弾性部材に形成された親水性部分からなることを特徴とする請求項１記載の吸収性物品。
【請求項５】
吸収性物品が、羽根なしタイプであることを特徴とする請求項１〜４の何れかに記載の吸収性物品。
【発明の詳細な説明】
【０００１】
【発明の属する技術分野】
本発明は、生理用ナプキン、パンティライナー、失禁パッド、紙おむつ等の吸収性物品に係り、特に羽根なしタイプとした場合でも漏れない吸収性物品に関する。
【０００２】
【従来の技術】
液体透過性のトップシートと、液体不透過性のバックシートと、該トップシート及び該バックシート間に位置する吸収体とからなる生理用ナプキンなどの吸収性物品は、種々提案されており、広く用いられている。
かかる生理用ナプキンとしては、例えば、左右一対のウイング部が形成されてなる羽根付きタイプと、該ウイング部のない羽根なしタイプとがある。
従来提案されている生理用ナプキンでは、長時間使用していると、使用者の動きによりズレ・ヨレが生じ、これにより漏れが生じて下着類が汚れるという問題があった。羽根なしタイプは「羽根がない」ことで、こすれず、使用感がよく、装着時の手間もかからないが、その一方で、「羽根による固定がない」ことで、ズレ・ヨリがより発生し易い。
【０００３】
そこで、ズレ・ヨレが生じても漏れを生じない生理用ナプキンが種々提案されている。例えば、特開２００１−３０９９４４号公報（特許文献１）には、体に密着する第１の吸収部材、及び該第１の吸収部材と下着との間に位置する第２の吸収部材からなる生理用ナプキンが提案されている。また、特表２００２−５１２８４９号公報（特許文献２）には、トップシート上に液透過性シートで吸収体を被覆してなる幅狭の吸収性材料管を付設してなる生理用ナプキンが提案されている。
【０００４】
【特許文献１】
特開２００１−３０９９４４号公報（請求項１、図１等）
【特許文献２】
特表２００２−５１２８４９号公報（請求項１、図１等）
【０００５】
【発明が解決しようとする課題】
上記の特許文献の生理用ナプキンは、いずれも、中高部をナプキン本体の上に設けて、該中高部を使用者の動きに追従させることで、ズレ、ヨレを防止したものであるが、該中高部が体液を吸収してしまうため、使用中には、身体に湿った中高部が始終接触していることになり、不快感を生じるだけでなく、ムレによるカブレ等を引き起こす。
このため、ズレ、ヨレを防止でき、且つ不快感やムレ等を生じない吸収性物品、特に、羽根なしタイプに適用できる吸収性物品の開発が要望されている。
【０００６】
本発明は、上記従来の問題点に着目してなされたものであり、ズレやヨレが生じることによる漏れが生じない吸収性物品、特に羽根なし生理用ナプキンの使いやすさを有し、羽根によるかぶれやこすれがなく、しかもズレ・ヨレによる漏れの発生のない吸収性物品を提供することにある。
【０００７】
【課題を解決するための手段】
この目的を達成するために、請求項１の発明は、液体透過性のトップシートと、液体不透過性のバックシートと、該トップシート及び該バックシート間に位置する吸収体とからなる吸収性物品において、上記トップシート上に設けられた、排泄された体液を上記吸収体に導くための体液誘導手段、及び該体液誘導手段を使用者の動きに追随して使用者の体液排泄部に密着させる追随・密着手段を有することを特徴とする吸収性物品である。
請求項１の発明によれば、ズレ・ヨレによる影響を受けることなく排出された体液を吸収体に導き吸収させることができ、漏れを防止することができる。
【０００８】
請求項２の発明は、追随・密着手段は、トップシートに固定された疎水性の弾性部材からなり、体液誘導手段は、上記弾性部材を覆い、上記トップシートに固定されて配された、疎密領域を有する被覆シートの密領域からなることを特徴とする請求項１記載の吸収性物品である。
【０００９】
請求項３の発明は、追随・密着手段は、トップシートに固定された疎水性の弾性部材からなり、体液誘導手段は、上記弾性部材を覆い、上記トップシートに固定されて配された、疎水性部と親水性部とからなる所定のパターンの被覆シートの親水性部からなることを特徴とする請求項１記載の吸収性物品である。
請求項３の発明によれば、体液誘導手段の性能が更に向上し、更に漏れを防止することができる。
【００１０】
請求項４の発明は、追随・密着手段は、親水性部分と疎水性部分とを有する弾性部材からなり、体液誘導手段は、上記弾性部材に形成された親水性部分からなることを特徴とする請求項１記載の吸収性物品である。
請求項４の発明によれば、体液誘導性能及び追随・密着性能のいずれも更に向上する。
【００１１】
請求項５の発明は、吸収性物品が、羽根なしタイプであることを特徴とする請求項１〜４の何れかに記載の吸収性物品である。
請求項５の発明によれば、羽根なしタイプによる、装着が容易で、すれたりかぶれたりすることがないという効果が得られる。
【００１２】
【発明の実施の形態】
以下、本発明の実施の形態に係る生理用ナプキン１の実施の形態を図１〜図３に従って説明する。
生理用ナプキン１は、図１〜３に示すように、液体透過性のトップシート７と、液体不透過性のバックシート３と、該トップシート７及び該バックシート３間に位置する吸収体５とからなる。
本実施形態の生理用ナプキンは、いわゆる羽根なしタイプであり、トップシート７とバックシート３とは吸収体５の周縁を囲むようにホットメルト、ヒートシール等で接着されている。
【００１３】
また、吸収体５は吸収コア５ａと、これを包むクレープ紙５ｂとによって構成されている。
バックシート３の裏面にはショーツに生理用ナプキン１を固定するために通常この種の吸収性物品に用いられる粘着剤が帯状に塗布されて複数の粘着部３ｂが設けられている。このバックシート３の材料としては、ポリエチレン、ポリプロピレン等の遮水材、遮水材に不織布とを積層してなるラミネート不織布、遮水材と不織布との間に防水プラスチックフィルムを介装して積層してなるラミネート不織布等が挙げられる。
トップシート７の表面シートの材料としては、無孔または有孔の不織布や多孔性プラスチックシート等が挙げられる。
【００１４】
吸収コア５ａは、吸水性繊維に高吸水性樹脂を分散混入してなるものである。吸水性繊維としては、パルプ、即ちセルロース繊維の他、レーヨン、アセテート等の人工セルロース繊維からなるものが好適材として挙げられる。
更に、ポリエチレン、ポリプロピレン等のオレフィン系、ポリエステル系、ポリアミド系等の疎水性合成繊維を併用してもよい。
高吸水性樹脂としては、ポリアクリル酸塩架橋物、自己架橋したポリアクリル酸塩、アクリル酸エステル−酢酸ビニル共重合体架橋物のケン化物、イソブチン・無水マレイン酸共重合体架橋物、ポリスルホン酸塩架橋物、ポリエチレンオキシド、ポリアクリルアミドなどの水膨潤性ポリマーを部分架橋したものなどが挙げられる。これらのうち、吸水量、吸水速度に優れるアクリル酸またはアクリル酸塩系のものが好適である。
【００１５】
そして、本実施形態の生理用ナプキン１は、トップシート７上に設けられた、排泄された体液（この実施の形態では、径血）を上記吸収体５に導くための体液誘導手段、及び該体液誘導手段を使用者の動きに追随して使用者の体液排泄部（この実施の形態では、排血口）に密着させる追随・密着手段が設けられている。
具体的には、上記追随・密着手段は、上記トップシート７に固定された弾性部材１１からなり、上記体液誘導手段は、上記弾性部材１１を覆い、上記トップシート７に固定されて配された被覆シート２１に設けられている。
【００１６】
弾性部材１１は、断面形状が矩形状の四角柱状体である。その高さＨは、０．５〜２０ｍｍ、より好ましくは２．０〜１２．０ｍｍであるのが、使用者の肌への追随・密着性をより向上させる観点から好ましい。弾性部材１１は、少なくとも使用者の排血口への当接部（製品を設計する際に通常使用者の排血口が当接すると考えて吸収性能を高く設計する部分）に配し、その長さＬは生理用ナプキン１全体の長さの１５％以上とするのが、本発明に所望の効果をより効果的に得る点で好ましく、２９％以上とするのが、いかなるタイプの製品でも十分な効果が得られるので更に好ましい。本実施形態においては、生理用ナプキン１の長さ方向ほぼ全域に亘って配されている。
また、弾性部材１１の幅Ｗは、吸収性物品全体の幅の５〜５０％とするのが、好ましい。平均排血口幅が１ｃｍであることから、個人の体型差・ズレなどを考慮し、当接部の幅は１０〜３０ｍｍが望ましい。その上で、生理用ナプキンの製品幅は現状６０〜１１６ｍｍであることから、５〜５０％が最適形状であると設定した。
【００１７】
被覆シート２１は、弾性部材１１の接着面以外の面を被覆して該弾性部材１１の側縁部近傍２１ａにてトップシート７にヒートシール又はホットメルトにより接着されて固定されている。また、被覆シート２１の両端部２１ｂは、それぞれ生理用ナプキン１の端部においてトップシート７及びバックシート３と共にヒートシール又はホットメルトにより封止されている。
【００１８】
弾性部材１１は、疎水性で、圧縮されても元の形状に戻り且つ伸縮性を有するものであれば、特に材料に制限はないが、例えば、ウレタンフォーム、海綿、天然ゴムやポリウレタン弾性体などの合成ゴムなどのゴム類などが用いられる。
被覆シート２１の材料としては、疎密領域を有するものであれば、特に材料に制限はないが、例えば、ポリオレフィンなどの疎水性繊維からなる疎水性の不織布やポリオレフィンシートなどの疎水性シートに多数の開孔を設けてなる多孔性シート（トップシートに用いられるものと同じものを用いることができる）などを用いることができる。密領域２１ｃは、使用者の排血口への当接部からトップシート７（更には吸収体５）まで延びており、この密領域２１ｃによって、体液誘導手段が構成されている。
この生理用ナプキン１の外観は、トップシート７上に蒲鉾のような形状の中高部が固定されているように見える。
【００１９】
そして、本実施形態の生理用ナプキン１は、通常の生理用ナプキンと同様にして、粘着部３ｂを下着に貼り付けて使用することができる。使用中においては、追随・密着手段としての弾性部材１１が配されているので、被覆シート２１を、使用者の体の動きがあっても弾性部材１１が伸縮することにより絶えず使用者の排血口に当接させることができる。
そして、体液誘導手段としての被覆シート２１に対して排出される径血は、毛細管現象により被覆シート２１を伝ってトップシート７に誘導される。
【００２０】
このため、本実施形態のように羽根なしのナプキンとしてもズレ・ヨレによる影響を受けることなく排出された径血を吸収体に導き吸収させることができ、漏れを防止することができる。また、このように羽根なしタイプの生理用ナプキンとしても漏れを生じることがないので、羽根なしタイプの生理用ナプキンの利点、すなわち、羽根のあるタイプに比して装着や着脱が楽で使いやすく、羽根によるかぶれやこすれがなくて使用感が良いという効果も発揮できる。
【００２１】
次に、本発明の吸収性物品としての生理用ナプキンの他の実施形態について説明する。
ここで、以下の説明においては、上述の実施形態と異なる点を中心に説明する。特に説明しない点については、上述の実施形態における説明が適宜適用される。
図４に示す形態の生理用ナプキン１０１は、上記追随・密着手段が、弾性部材１１１からなり、上記体液誘導手段が、上記弾性部材１１１の全面を覆って上記トップシート１０７に固定された被覆シート１２１に設けられており、上記弾性部材１１１は、上記被覆シート１２１を介して上記トップシート１０７上に付設されている。
【００２２】
詳細には、四角柱状の弾性部材１１１の全面を被覆シート１２１で被覆した後、被覆シート１２１は、その側縁部分１２１ａをトップシート７にヒートシール又はホットメルトにより固定されている。これにより袋状の体液誘導手段が形成されていると共に、体液誘導手段中に、何にも固定されない状態の弾性部材１１１により追随・密着手段が形成されている。
そして、本実施形態の生理用ナプキン１は、弾性部材１１１が何にも固定されない自由度の高い状態であるため、使用者の肌への追随・密着性能がより向上されており、より漏れを防止することができると共に使用者がより動きやすいという効果もある。
【００２３】
図５に示す形態の生理用ナプキン２０１は、上記追随密着手段が、上記トップシート２０７に固定された弾性部材２１１からなり、上記体液誘導手段が、上記弾性部材２１１を覆い、該トップシート２０７に固定されて配された被覆シート２２１からなり、上記被覆シート２２１は、疎水性のシートに所定パターンで親水性部２２１ｂを形成したシートである。すなわち、本実施形態の生理用ナプキン２０１において被覆シート２２１には疎水性部２２１ａと親水性部２２１ｂとが形成されている。
【００２４】
詳細には、本実施形態の生理用ナプキン２０１において、被覆シート２２１には、格子状の親水性部２２１ｂと、親水性部２２１ｂにより区切られた、複数の長方形状の疎水性部２２１ａとが形成されている。そして、親水性部２２１ｂは、使用者の排血口への当接部からトップシート７（更には吸収体５）まで延びており、この親水性部２２１ｂによって、体液誘導手段が構成されている。
親水性部２２１ｂを線状にする場合、各親水性部２２１ｂの太さＴは、１〜３０ｍｍとし、親水性部２２１ｂの形成割合は、被覆シート２２１全体の面積に対して４０〜６０％とするのが、体液誘導効果をより向上させるために好ましい。
【００２５】
上記疎水性シートとしては、ポリオレフィンなどの疎水性繊維からなる不織布や、該疎水性樹脂からなるプラスッチックシートに多数の開孔を設けてなる多孔性シートなどが用いられる。そして、親水性部２２１ｂは、製造ライン中（もしくは製造ライン外）において、界面活性剤などの親水性処理剤をパターン塗布する等して形成することができる。
この際用いられる被覆シート２２１としては、図５に示すパターンで親水性部２２１ｂが形成されたものに制限されず、他のパターン、例えば、図６に示す生理用ナプキン２０１’における被覆シート２２１’のように、線状の親水性部２２１ｂを３本それぞれ交差させるように配したパターンとしてもよい。
本実施形態の生理用ナプキンは、体液誘導性能が更に向上されており、より漏れを防止することができる。
【００２６】
図７及び８に示す形態の生理用ナプキン３０１は、上記追随・密着手段が、親水性部分３１１ｂと疎水性部分３１１ａとを有する弾性部材３１１からなり、上記体液誘導手段が、該弾性部材３１１に形成された該親水性部分３１１ｂからなる。
親水性部分３１１ｂと疎水性部分３１１ａとはそれぞれ板状であり、交互に重ね合わせられて、ホットメルトなどにより接着されて、弾性部材全体の形状を４角柱形状としている。
【００２７】
弾性部材３１１の親水性部分３１１ｂの形成材料としては、親水処理されたポリウレタンフォーム等が挙げられ、疎水性部分３１１ａの形成材料としては、（通常疎水性である）ポリウレタンフォーム等が挙げられる。
本実施形態の生理用ナプキンは、体液誘導性能及び追随・密着性能のいずれも更に向上されている。
【００２８】
以上、本発明の実施の形態を説明したが、本発明の具体的構成がこの実施の形態に限定されるものではなく、本発明の要旨から外れない範囲での設計変更等があっても本発明に含まれる。
本発明は生理用ナプキンだけでなく、パンティライナー、失禁パッド、紙おむつ等の吸収性物品に適用することができる。
弾性部材の形状は、上述の４角柱状に限定されず、蒲鉾様の形状など種々の形状とすることができる。
体液誘導手段は、使用者の体液排泄部への当接部からトップシート（更には吸収体）まで延びているものであればよく、上記した以外にも種々のパターンがある。
【００２９】
【発明の効果】
以上説明したように、本発明の吸収性物品は、ズレやヨレが生じることによる漏れが生じない吸収性物品、特に羽根なし生理用ナプキンの使いやすさを有し、かぶれやこすれがなく、しかもズレ・ヨレによる漏れの発生のないものである。
【図面の簡単な説明】
【図１】図１は、本発明の吸収性物品の好ましい１実施形態を示す斜視図である。
【図２】図２は、図１に示す実施形態の吸収性物品のＩＩ−ＩＩ断面図である。
【図３】図３は、図１に示す実施形態の吸収性物品のＩＩＩ−ＩＩＩ断面図である。
【図４】図４は、本発明の吸収性物品の他の実施形態を示す幅方向断面図（図２相当図）である。
【図５】図５は、本発明の吸収性物品の他の実施形態を示す斜視図である。
【図６】図６は、本発明の吸収性物品の他の実施形態を示す斜視図である。
【図７】図７は、本発明の吸収性物品の他の実施形態を示す斜視図である。
【図８】図８は、図７に示す吸収性物品のＶＩＩＩ−ＶＩＩＩ断面図である。
【符号の説明】
１    生理用ナプキン
３    バックシート
５    吸収体
５ａ  吸収コア
５ｂ  クレープ紙
７    トップシート
１１    弾性部材
２１    被覆シート
２１ｃ  密領域
【図１】
2004290590.tif 000003
【図２】
2004290590.tif 000004
【図３】
2004290590.tif 000005
【図４】
2004290590.tif 000006
【図５】
2004290590.tif 000007
【図６】
2004290590.tif 000008
【図７】
2004290590.tif 000009
【図８】
2004290590.tif 000010